Podtech/llm-jp-corpus-v4-ja_patent huggingface dataset:
【手続補正書】
【提出日】平成21年8月5日(2009.8.5)
【手続補正１】
【補正対象書類名】特許請求の範囲
【補正対象項目名】全文
【補正方法】変更
【補正の内容】
【特許請求の範囲】
【請求項１】
ビヒクル中の７−ｔ−ブトキシイミノメチルカンプトテシンの微粒子および所望により少なくとも１種の表面安定剤を含む医薬組成物であって、該微粒子が約１５ミクロンまでである医薬組成物。
【請求項２】
ビヒクルが油性ビヒクル、親水性非水性ビヒクルまたは自己マイクロエマルジョン化型ビヒクルから選択される、請求項１に記載の医薬組成物。
【請求項３】
少なくとも１種の表面安定剤がヒドロキシメチルプロピルセルロース、ポリビニルピロリドン、Ｐｌｕｒｏｎｉｃ  Ｆ６８（登録商標）、ドデシル硫酸ナトリウムまたはコロイド状シリカから選択される、請求項１に記載の医薬組成物。
【請求項４】
油性ビヒクルが１種またはそれ以上のコーン油、ゴマ油、オリーブ油、パラフィン油、大豆油、綿実油、長鎖、中鎖および短鎖モノ、ジ、トリグリセリドならびに他の適当な親油性成分から選択される、請求項２に記載の医薬組成物。
【請求項５】
親水性非水性ビヒクルが１種またはそれ以上の下記賦形剤、ポリエチレングリコールグリセリルＣ６−Ｃ１０−脂肪酸エステル、Ｎ−アルキルピロリドン、ベンジルアルコールまたはクエン酸トリエチルを含む、請求項２に記載の医薬組成物。
【請求項６】
自己マイクロエマルジョン化型ビヒクルが１種またはそれ以上の親油性成分、１種またはそれ以上の界面活性剤、および所望により１種またはそれ以上の親水性成分を含む、請求項２に記載の医薬組成物。
【請求項７】
自己マイクロエマルジョン化型ビヒクルがコーン油モノ、ジおよびトリグリセリド、ポリエチレングリコールポリオキシル４０水素化ヒマシ油、プロピレングリコールおよび所望によりエタノールを含む、請求項６に記載の医薬組成物。
【請求項８】
さらに沈殿阻害剤を含む、請求項１に記載の医薬組成物。
【請求項９】
沈殿阻害剤がコロイドシリカである、請求項７に記載の医薬組成物。
【請求項１０】
約１ミクロンから約５ミクロンである、７−ｔ−ブトキシイミノメチルカンプトテシンの微粒子。
【請求項１１】
製粉、高圧均質化または沈殿技術により製造される、請求項１０に記載の微粒子。
【請求項１２】
請求項１に記載の医薬組成物を投与することを含む、処置を必要とする患者の増殖性疾患を処置するための請求項１に記載の医薬組成物の使用。
【請求項１３】
乳癌、肺癌、消化器癌、大腸および結腸直腸癌、神経膠腫、肉腫、卵巣癌、骨髄腫、子宮頸癌、子宮内膜癌、頭頸部癌、中皮腫、腎臓癌、前立腺癌、子宮、膀胱および尿道の癌、皮膚癌ならびに黒色腫の処置のための薬剤の製造における医薬組成物の使用。
【手続補正書】
【提出日】平成21年8月4日(2009.8.4)
【手続補正１】
【補正対象書類名】特許請求の範囲
【補正対象項目名】全文
【補正方法】変更
【補正の内容】
【特許請求の範囲】
【請求項１】
化学式ＩＶの化合物、
【化１】
2009504676.tif 000001
〔式中、ｔは１、２、３、または４であり；
Ｒ２、Ｒ３、Ｒ５及びＲ６は独立して、Ｈ、Ｆ、Ｃｌ、Ｂｒ、ＣＦ３、ＣＨ３、ＣＨ２ＣＨ３、ＣＨ（ＣＨ３）２、ＯＨ、ＯＣＨ３、ＣＨ２ＯＣＨ３またはＣＨ２ＯＣＨ２ＣＨ３であり；
Ｒ９−Ｒ１０はＨ、ＣＨ３、ＣＨ２ＣＨ３であるか、またはＲ９及びＲ１０はそれらが付加する炭素と共にサイズ３、４、５、６、または７のスピロ環を生成するよう結合し；
ＺはＣＯ２Ｈ、ＣＯＮＨＳ（Ｏ）２−アルキル、ＣＯＮＨＳ（Ｏ）２−シクロアルキル、ＣＯＮＨＳ（Ｏ）２−ヘテロアルキル、ＣＯＮＨＳ（Ｏ）２−アリール、ＣＯＮＨＳ（Ｏ）２−ヘテロアリール、またはテトラゾールである。〕
またはその薬理学的に有効な塩。
【請求項２】
ｔが１または２である、請求項１に記載の化合物。
【請求項３】
Ｒ２が非水素置換基である、請求項１または２に記載の化合物。
【請求項４】
Ｒ３が非水素置換基である、請求項１または２に記載の化合物。
【請求項５】
Ｒ５が非水素置換基である、請求項１または２に記載の化合物。
【請求項６】
化合物が下式化合物
【化２】
2009504676.tif 000002
（式中、Ａ、Ｒ２、Ｒ３、Ｒ５、Ｒ６、Ｒ９、Ｒ１０、Ｔ、環サイズおよびＺは下表で定義される値であり、環サイズはＲ９及びＲ１０が結合してそれらが付加する炭素と共に３、４、５、６、または７のスピロ環を形成する場合の環のサイズである。）
【表１】
2009504676.tif 000003
【表２】
2009504676.tif 000004
【表３】
2009504676.tif 000005
から選択される、請求項１の化合物。
【請求項７】
化合物が化合物４６
【化３】
2009504676.tif 000006
である、請求項６に記載の化合物。
【請求項８】
Ｒ９及びＲ１０がそれぞれメチルである、請求項１または２に記載の化合物。
【請求項９】
Ｒ９及びＲ１０がそれらが付加する炭素と共にスピロ環を生成し、該スピロ環がシクロプロピル環である、請求項１または２に記載の化合物。
【請求項１０】
睡眠障害であって、該睡眠障害が不眠である睡眠障害の治療における使用のための請求項１から９のいずれかに記載された化合物。
【手続補正書】
【提出日】平成21年8月10日(2009.8.10)
【手続補正１】
【補正対象書類名】特許請求の範囲
【補正対象項目名】全文
【補正方法】変更
【補正の内容】
【特許請求の範囲】
【請求項１】
ヒトの皮膚の領域の視覚的魅力を改善するための装置であって、
筐体と、
少なくとも１つの光源であって、該光源は、オンおよびオフされ得る、光源と、
少なくとも１つの受像素子と、
少なくとも１つの反射変性剤塗布素子であって、該反射変性剤塗布素子は特定のフレキセルに対し該フレキセルの反射特性に応じて、反射変性剤を選択的に塗布する、反射変性剤塗布素子と
を備える、装置。
【請求項２】
前記筐体はブースである、請求項１に記載の装置。
【請求項３】
前記ブースは日焼けブースである、請求項２に記載の装置。
【請求項４】
前記筐体はハンドヘルドデバイスであって、該ハンドヘルドデバイスは、皮膚の領域上において手動で移動させ得る、請求項１に記載の装置。
【請求項５】
前記筐体はハンドヘルドデバイスであって、該ハンドヘルドデバイスは、皮膚マークの外観を改善するために、該マーク上に手動で配置され得る、請求項１に記載の装置。
【請求項６】
前記筐体は、唇または目の周囲等、皮膚の特別な領域に近接して置かれるように設計される、請求項１に記載の装置。
【請求項７】
前記反射変性剤塗布素子は、ドロップ制御デバイスをさらに備える、請求項１に記載の装置。
【請求項８】
前記ドロップ制御デバイスは、少なくとも１つのインクジェットプリントヘッドをさらに備える、請求項７に記載の装置。
【請求項９】
前記光源は複数の発光ダイオードであって、このような第一の発光ダイオードは第一の波長の発光を有し、第二の発光ダイオードは第二の波長の発光を有する、請求項１に記載の装置。
【請求項１０】
前記光源は、
前記筐体に対して第一の角度に配向された第一の光源と、
該筐体に対して第一の角度に配向された第二の光源と
をさらに備える、請求項１に記載の装置。
【請求項１１】
ヒトの皮膚の領域の視覚的魅力を改善するためのシステムであって、該システムは、
少なくとも１つの反射変性剤を提供する手段と、
該皮膚の領域を複数のフレキセルに割り当てる手段と、
該複数のフレキセルのそれぞれの反射特性を測定する手段と、
該複数のフレキセルのそれぞれの該反射特性から、特定のフレキセルに塗布するために望ましい量の該反射変性剤を備える補正計画を決定する手段と、
該補正計画を実行する手段と
を含む、システム。
【請求項１２】
前記少なくとも１つの反射変性剤を提供する手段は、複数の透明な染料を提供する手段をさらに含む、請求項１１に記載のシステム。
【請求項１３】
前記複数のフレキセルの前記反射特性を測定する手段は、
オンまたはオフになるように制御され得る複数の光源を提供する手段と、
複数の照明条件を作成する手段であって、各照明条件は該光源のそれぞれについてオン状態またはオフ状態の選択を含む、手段と、
該複数の照明条件を繰り返しながら、画像データを得るために前記皮膚の領域をスキャンする手段と、
該画像データから、該複数のフレキセルの反射率を決定する手段と
をさらに含む、請求項１１に記載のシステム。
【請求項１４】
スキャンされるフレキセルの位置を決定する手段をさらに含む、請求項１３に記載のシステム。
【請求項１５】
前記画像データから、基準面に対する前記フレキセルの傾斜を決定する手段をさらに含む、請求項１４に記載のシステム。
【請求項１６】
前記フレキセルの前記傾斜および該フレキセルに近接するその他のフレキセルの傾斜から、局所的な皮膚形態を決定する手段をさらに含む、請求項１５に記載のシステム。
【請求項１７】
前記複数のフレキセルのそれぞれの前記反射特性から、特定のフレキセルに塗布するために望ましい量の前記反射変性剤を備える補正計画を決定する手段は、
実際の皮膚の領域のマップを構築する手段であって、該マップは前記複数のフレキセルのそれぞれの前記位置および前記反射率を含む、手段
をさらに含み、該構築する手段は、
中間周波数成分の一部を該実際の皮膚の領域の該マップから除去することと、
該実際の皮膚の領域の該マップを解析して皮膚の特徴を決定し、かつ該皮膚の特徴に対する補正および改善を決定することと、
補正および改善のための任意の手動入力を受け入れることと
によって、理想的なマップを構築する、請求項１１に記載のシステム。
【請求項１８】
前記補正計画を実行する手段は、
スキャナおよびプリンタユニットを前記皮膚の領域上に向ける手段と、
該スキャナを使用して位置を決定する手段と、
該位置から望ましい補正を決定する手段と、
該補正の少なくとも一部を該皮膚に適用する手段と
をさらに含む、請求項１１に記載のシステム。
【請求項１９】
前記反射変性剤は少なくとも三つの異なる色の透明な染料を含み、フレキセルに対する所望の補正は、特定量の該三色の透明な染料のそれぞれを塗布することによって得られる、請求項１１に記載のシステム。
【請求項２０】
前記補正計画を実行する手段は、皮膚の領域上におけるスキャンおよびプリントの複数のパスを作る手段をさらに含む、請求項１１に記載のシステム。
【手続補正書】
【提出日】平成21年7月31日(2009.7.31)
【手続補正１】
【補正対象書類名】特許請求の範囲
【補正対象項目名】全文
【補正方法】変更
【補正の内容】
【特許請求の範囲】
【請求項１】
下記のチオトロピウム塩１の使用であって、
2009504604.tif 000001
（式中
X-は、１価の負電荷を持つアニオンを示し、水和物及び/又は溶媒和化合物の形であってもよい。）
重症持続型喘息患者の治療を目的とした薬剤の製造のための使用。
【請求項２】
アニオンが、塩化物イオン、臭化物イオン、ヨー化物イオン、硫酸イオン、リン酸イオン、メタンスルホン酸イオン、硝酸イオン、マレイン酸イオン、酢酸イオン、クエン酸イオン、フマル酸イオン、酒石酸イオン、シュウ酸イオン、コハク酸イオン、安息香酸イオン及びｐ−トルエンスルホン酸イオンからなる群から選択される、請求項１に記載の使用。
【請求項３】
重症度がGINAステップ４の喘息に罹患している患者の治療を目的とした請求項１または２のいずれかに記載の使用。
【請求項４】
吸入コルチコステロイドを用いた治療にもかかわらず持続する症状を示す患者の重症持続型喘息の治療薬の製造のための請求項１〜３のいずれか１項記載の使用。
【請求項５】
吸入β2アゴニストを用いた治療にもかかわらず持続する症状を示す患者の重症持続型喘息の治療薬の製造のための請求項１〜３のいずれか１項記載の使用。
【請求項６】
吸入コルチコステロイドと、長時間作用性β2アゴニストの併用治療にもかかわらず、持続する症状を示した患者の重症持続型喘息の治療薬の製造のための請求項１〜３のいずれか１項記載の化合物の使用。
【請求項７】
重症持続型喘息の治療の為の薬剤の製造のための、患者が子供である場合の請求項１〜６のいずれか１項に記載の使用。
【請求項８】
吸入型コルチコステロイドと長時間作用性β2アゴニストによる維持管理薬療法で十分にコントロールできない患者の重症持続型喘息の維持療法および気管支閉塞症状の予防に用いる薬剤の製造のための請求項１〜７のいずれか１項に記載の使用。
【請求項９】
吸入型コルチコステロイドと長時間作用性β2アゴニストによる維持管理薬療法で十分にコントロールできない患者の重症度GINAステップ４喘息の維持療法および気管支閉塞症状の予防に用いる薬剤の製造のための請求項１〜７のいずれか１項に記載の使用。
【請求項１０】
重症持続型喘息の治療を目的としたサードラインの維持管理薬療法における請求項１〜７のいずれか１項に記載の使用。
【請求項１１】
単回投与量中の活性物質であるチオトロピウム１’の量が１〜２０μｇであることを特徴とする請求項１〜１０のいずれか１項に記載の使用。
【手続補正書】
【提出日】平成21年7月29日(2009.7.29)
【手続補正１】
【補正対象書類名】特許請求の範囲
【補正対象項目名】全文
【補正方法】変更
【補正の内容】
【特許請求の範囲】
【請求項１】
患者の多発性骨髄腫を処置するための、
１）（ｉ）配列番号：１の配列と少なくとも９０％同一であり、且つＢｌｙＳに結合するＴＡＣＩ細胞外ドメイン又はＢｌｙＳに結合するそのフラグメント；及び
（ｉｉ）ヒト免疫グロブリン定常領域、
を含んで成る融合分子、
２）（ｉ）配列番号：１の配列を有するＴＡＣＩ細胞外ドメイン又はＢｌｙＳに結合するそのフラグメント；及び
（ｉｉ）ヒト免疫グロブリン定常領域、
を含んで成る融合分子、
３）配列番号：１のアミノ酸３０〜１１０を含んで成るＴＡＣＩ細胞外ドメイン及びヒト免疫グロブリン定常領域を含んで成る融合分子、
４）配列番号：１のアミノ酸３０〜１１０から成るＴＡＣＩ細胞外ドメイン及びヒト免疫グロブリン定常領域を含んで成る融合分子、
から成る群から選択される融合分子、を含んで成る医薬組成物。
【請求項２】
患者のヴァルデンストレームマクログロブリン血症を処置するための、
１）（ｉ）配列番号：１の配列と少なくとも９０％同一であり、且つＢｌｙＳに結合するＴＡＣＩ細胞外ドメイン又はＢｌｙＳに結合するそのフラグメント；及び
（ｉｉ）ヒト免疫グロブリン定常領域、
を含んで成る融合分子、
２）（ｉ）配列番号：１の配列を有するＴＡＣＩ細胞外ドメイン又はＢｌｙＳに結合するそのフラグメント；及び
（ｉｉ）ヒト免疫グロブリン定常領域、
を含んで成る融合分子、
３）配列番号：１のアミノ酸３０〜１１０を含んで成るＴＡＣＩ細胞外ドメイン及びヒト免疫グロブリン定常領域を含んで成る融合分子、
４）配列番号：１のアミノ酸３０〜１１０から成るＴＡＣＩ細胞外ドメイン及びヒト免疫グロブリン定常領域を含んで成る融合分子、
から成る群から選択される融合分子、を含んで成る医薬組成物。
【請求項３】
前記ヒト免疫グロブリン定常領域が、配列番号：２の配列を有する、請求項１又は２に記載の医薬組成物。
【請求項４】
前記組成物が、患者の体重１ｋｇあたり０．０１ｍｇから患者の体重１ｋｇあたり１０ｍｇの量で投与される、請求項１又は２に記載の医薬組成物。
【請求項５】
前記組成物が、４週間の間隔の間に５回、前記の量で投与される、請求項４に記載の医薬組成物。
【請求項６】
前記組成物が、多サイクルの間、前記の量で投与され、各サイクルが、４週間の間隔の間に５回、前記の量の組成物を投与することを含んで成る、請求項４に記載の医薬組成物。
【請求項７】
前記医薬組成物が、薬剤と一緒に患者に投与される、請求項１又は２に記載の医薬組成物。
【請求項８】
前記薬剤が、ビスフォスフォネート、エリスロポエチン、顆粒球成長因子、顆粒球コロニー刺激因子、疼痛の管理のための薬剤、メルファラン、ビンクリスチン、ドキソルビシン、サリドマイド、ヌクレオシドアナログ、及びボルテゾミブを含むがこれに限定されないプロテアソーム阻害剤から成る群から選択される、請求項７に記載の医薬組成物。
【請求項９】
前記医薬組成物が、皮下、経口又は静脈内投与される、請求項１又は２に記載の医薬組成物。
【請求項１０】
患者がヒトである、請求項１又は２に記載の医薬組成物。
【手続補正書】
【提出日】平成21年8月3日(2009.8.3)
【手続補正１】
【補正対象書類名】特許請求の範囲
【補正対象項目名】全文
【補正方法】変更
【補正の内容】
【特許請求の範囲】
【請求項１】
３，１１ｂ−シス−ジヒドロテトラベナジンまたはその薬学上許容可能な塩を含んでなる、精神病の予防または治療のための医薬組成物。
【請求項２】
精神病の予防または治療が、精神病エピソードの予防または緩和である、請求項１に記載の医薬組成物。
【請求項３】
精神病または精神病エピソードが、統合失調症から生じるまたはこれと関連している、請求項１または２に記載の医薬組成物。
【請求項４】
３，１１ｂ−シス−ジヒドロテトラベナジンまたはその薬学上許容可能な塩を含んでなる、統合失調症の予防または治療のための医薬組成物。
【請求項５】
予防される、治療される、または緩和される精神病エピソード、精神病または症状が、
妄想、
幻覚、
幻視、
幻聴、
触感、味または臭いなどの幻覚、
錯乱、
情緒、行動または知的障害、
現実逃避、
非論理的および／または支離滅裂な思考パターン、
偏執的または妄想的信念、
偏執狂、
誇大妄想、
迫害または自責妄想、および
人格変化
から選択される、請求項１〜３のいずれか一項に記載の医薬組成物。
【請求項６】
予防される、治療される、または緩和される精神病エピソード、または精神病が、
統合失調症によって引き起こされるまたはこれと関連した精神病；
双極性障害（躁鬱病）によって引き起こされるまたはこれと関連した精神病；
重篤な臨床的鬱病によって引き起こされるまたはこれと関連した精神病；
電解質障害、
高齢者における尿路感染症、
疼痛症候群、
薬物中毒、
薬物禁断症状、および
脳の感染症または脳への損傷
のような障害または状況によって誘導される精神病；
慢性的心理ストレスによって引き起こされる精神病（短期反応性精神病）；
重篤な精神的ストレスによって引き起こされるまたは悪化する精神病；および
ＡＩＤＳ、ハンセン病、マラリアおよび耳下腺炎のような疾病および状況によって誘発されるまたはこれらから生じるまたはこれらに続く精神病
から生じるまたはこれらと関連するものから選択される、請求項１〜３のいずれか一項に記載の医薬組成物。
【請求項７】
統合失調症の予防または治療が、統合失調症の１以上の症状の緩和または軽減である、請求項４に記載の医薬組成物。
【請求項８】
統合失調症の予防または治療が、
妄想；
幻覚；
錯乱；
情緒、行動または知的障害；
現実逃避；および
非論理的思考パターン
から選択される１以上の症状の予防、緩和、または軽減である、請求項４に記載の医薬組成物。
【請求項９】
３，１１ｂ−シス−ジヒドロテトラベナジンが、酸付加塩の形態である、請求項１〜８のいずれか一項に記載の医薬組成物。
【請求項１０】
塩が、メタンスルホン酸塩である、請求項９に記載の医薬組成物。
【請求項１１】
３，１１ｂ−シス−ジヒドロテトラベナジンが、９０％を上回る異性体純度を有する、請求項１〜８のいずれか一項に記載の医薬組成物。
【請求項１２】
３，１１ｂ−シス−ジヒドロテトラベナジンが、９８％を上回る異性体純度を有する、請求項１１に記載の医薬組成物。
【請求項１３】
５％未満の３，１１ｂ−トランス−ジヒドロテトラベナジンを含む、請求項１〜８のいずれか一項に記載の医薬組成物。
【請求項１４】
１％未満の３，１１ｂ−トランス−ジヒドロテトラベナジンを含む、請求項１３に記載の医薬組成物。
【請求項１５】
３，１１ｂ−シス−ジヒドロテトラベナジンが、式（Ｉｂ）：
【化１】
2009504622.tif 000001
を有する、請求項１〜８のいずれか一項に記載の医薬組成物。
【請求項１６】
統合失調症の認知障害症状を改善するための、請求項１５に記載の医薬組成物。
【手続補正書】
【提出日】平成21年6月9日(2009.6.9)
【手続補正１】
【補正対象書類名】特許請求の範囲
【補正対象項目名】全文
【補正方法】変更
【補正の内容】
【特許請求の範囲】
【請求項１】
フルオロポリマー層をシリコーン層に結合する方法であって、
（ｉ）脱フッ化水素化できるフルオロポリマーを含むフルオロポリマー層を供給することと、
（ｉｉ）硬化性のシリコーン組成物を含むシリコーン層を供給することであって、
前記硬化性シリコーン組成物は、（ａ）ＳｉＨ基を有するオルガノポリシロキサン化合物と（ｂ）脂肪族の炭素−炭素不飽和結合を有するオルガノポリシロキサン化合物と（ｃ）ヒドロシリル化触媒と（ｄ）アミノ化合物とを含み、
前記アミノ化合物は、（１）Ｒが水素又は有機基である式−ＮＨＲのアミン官能基と（２）Ｒ1はアルキル基又はアリール基を表し、Ｒ2は２〜６の炭素原子数のアルキル基を表し且つｎは１又は２である、式−ＳｉＲ1n（ＯＲ2）3-nのシリル基とを有する、前記シリコーン層を供給することと、
（ｉｉｉ）前記シリコーン層及び前記フルオロポリマー層を接触させて、前記シリコーン層の前記硬化性シリコーン組成物を硬化させること、を含む前記結合方法。
【手続補正書】
【提出日】平成21年7月30日(2009.7.30)
【手続補正１】
【補正対象書類名】特許請求の範囲
【補正対象項目名】全文
【補正方法】変更
【補正の内容】
【特許請求の範囲】
【請求項１】
移送路上にある注目点のうち少なくとも１個にて少なくとも１回、移送路に沿った少なくとも１枚のシートの通過を原則としてシート毎に検知し、
計数可能なパルスを含む信号を少なくとも一種類発生させ、そのパルスを用い任意に但し固定的に設定した原点を利用し上記注目点に対するフレームの位置、即ち移送路を構成する少なくとも１個のセグメント上にありそれぞれ占有可能フィールドたる複数個のフレームのうち少なくとも１個の位置を調べ、その結果に基づき移送路上の他の少なくとも１個の注目点で少なくとも１枚のシートを制御し、
フレームに対するシートの位置を先行シート及び後続シートの位置を直接利用せず少なくとも１個のフレームについて検出し、その結果をシート位置の目標値と比較するディジタル印刷機内シート制御方法であって、
上記補正をそのシートの送り速度の修正によって実行することを特徴とするディジタル印刷機内シート制御方法。
【請求項２】
請求項１記載の方法であって、上記比較の結果に基づきそのシートの位置を補正することを特徴とするディジタル印刷機内シート制御方法。
【請求項３】
請求項１記載の方法であって、上記送り速度の修正を移送路上にある所定の修正点で実行することを特徴とするディジタル印刷機内シート制御方法。
【手続補正２】
【補正対象書類名】明細書
【補正対象項目名】発明の名称
【補正方法】変更
【補正の内容】
【発明の名称】ディジタル印刷機内シート制御方法
【手続補正書】
【提出日】平成21年8月5日(2009.8.5)
【手続補正１】
【補正対象書類名】特許請求の範囲
【補正対象項目名】全文
【補正方法】変更
【補正の内容】
【特許請求の範囲】
【請求項１】
（ａ）官能基化され溶融押出し成形可能なフルオロポリマー層を含む層と、
（ｂ）ポリアミドを含む層と、
（ｃ）強化用繊維を含む層と
を含む多層パイプであって、
層（ａ）が最も内側にあり、層（ｂ）が層（ａ）の外側にあり、層（ｃ）が層（ｂ）の外側にあるようにこれらの層が同心円状に配置されていることを特徴とする多層パイプ。
【手続補正２】
【補正対象書類名】明細書
【補正対象項目名】００５１
【補正方法】変更
【補正の内容】
【００５１】
本発明の多層パイプは、地域暖房システムで、あるいは海底のフレックスパイプまたは海洋アンビリカルの構成材として使用できる。これらは、工業環境の化学プロセスで化学物質を輸送するのに用いることができる（「化学プロセスパイプ」と呼ばれる）。本発明のパイプは、（油井および／またはガス井用の）圧入井パイプとして使用できる。本発明のパイプは、ガソリンおよび／またはディーゼル燃料の輸送用またはガソリンスタンド給油場のパイプに使用できる。
なお、本発明の好ましい態様としては以下のものを挙げることができる。
１．（ａ）官能基化され溶融押出し成形可能なフルオロポリマー層を含む層と、
（ｂ）ポリアミドを含む層と、
（ｃ）強化用繊維を含む層と
を含む多層パイプであって、
層（ａ）が最も内側にあり、層（ｂ）が層（ａ）の外側にあり、層（ｃ）が層（ｂ）の外側にあるようにこれらの層が同心円状に配置されていることを特徴とする多層パイプ。
２．（ａ’）溶融押出し成形可能なフルオロポリマーを含む層と、
（ａ）官能基化され溶融押出し成形可能なフルオロポリマー層を含む層と、
（ｂ）ポリアミドを含む層と、
（ｃ）強化用繊維を含む層と
を含む多層パイプであって、
層（ａ’）が最も内側にあり、層（ａ）が層（ａ’）の外側にあり、層（ｂ）が層（ａ）の外側にあり、層（ｃ）が層（ｂ）の外側にあるようにこれらの層が同心円状に配置されていることを特徴とする１に記載の多層パイプ。
３．（ａ）官能基化され溶融押出し成形可能なフルオロポリマー層を含む層と、
（ｂ）ポリアミドを含む層と、
（ｃ）強化用繊維を含む層と、
（ｄ）熱可塑性ポリマーを含む層と
を含む多層パイプであって、
層（ａ’）が最も内側にあり、層（ａ）が層（ａ’）の外側にあり、層（ｂ）が層（ａ）の外側にあり、層（ｃ）が層（ｂ）の外側にあり、層（ｄ）が層（ｃ）の外側にあるようにこれらの層が同心円状に配置されていることを特徴とする１に記載の多層パイプ。
４．（ａ’）溶融押出し成形可能なフルオロポリマーを含む層と、
（ａ）官能基化され溶融押出し成形可能なフルオロポリマー層を含む層と、
（ｂ）ポリアミドを含む層と、
（ｃ）強化用繊維を含む層と、
（ｄ）熱可塑性ポリマーを含む層と
を含む多層パイプであって、
層（ａ’）が最も内側にあり、層（ａ）が層（ａ’）の外側にあり、層（ｂ）が層（ａ）の外側にあり、層（ｃ）が層（ｂ）の外側にあり、層（ｄ）が層（ｃ）の外側にあるようにこれらの層が同心円状に配置されていることを特徴とする１に記載の多層パイプ。
５．層（ｂ）の前記ポリアミドが、ポリアミド６，１０；ポリアミド６，１２；ポリアミド１１；およびポリアミド１２からなる群から選択されることを特徴とする１に記載のパイプ。
６．前記ポリアミドが、可塑剤を含むポリアミド組成物であることを特徴とする１に記載のパイプ。
７．前記可塑剤が、Ｎ−ブチルベンゼンスルホンアミド、Ｎ−エチル−ｏ−トルエンスルホンアミド、またはＮ−エチル−ｐ−トルエンスルホンアミドの１種または複数種であることを特徴とする６に記載のパイプ。
８．層（ａ）の前記フルオロポリマーが、官能基化グラフト化合物によってグラフト化されたエチレン／テトラフルオロエチレンコポリマー、官能基化グラフト化合物によってグラフト化されたエチレン／クロロトリフルオロエチレンコポリマー、官能基化グラフト化合物によってグラフト化されたフッ化ビニリデン／ヘキサフルオロプロピレンコポリマー、および官能基化グラフト化合物によってグラフト化されたフッ化ビニリデン／ヘキサフルオロプロピレン／テトラフルオロエチレンコポリマーの１種または複数種であることを特徴とする１に記載のパイプ。
９．層（ａ）の前記フルオロポリマーが、無水マレイン酸によってグラフト化されたエチレン／テトラフルオロエチレンコポリマー、無水マレイン酸によってグラフト化されたエチレン／クロロトリフルオロエチレンコポリマー、無水マレイン酸によってグラフト化されたフッ化ビニリデン／ヘキサフルオロプロピレンコポリマー、および無水マレイン酸によってグラフト化されたフッ化ビニリデン／ヘキサフルオロプロピレン／テトラフルオロエチレンコポリマーの１種または複数種であることを特徴とする８に記載のパイプ。
１０．層（ａ’）の前記フルオロポリマーが、エチレン／テトラフルオロエチレンコポリマー、エチレン／クロロトリフルオロエチレンコポリマー、フッ化ビニリデン／ヘキサフルオロプロピレンコポリマー、およびフッ化ビニリデン／ヘキサフルオロプロピレン／テトラフルオロエチレンコポリマーの１種または複数種であることを特徴とする２に記載のパイプ。
１１．層（ｄ）の前記熱可塑性ポリマーがポリアミドであることを特徴とする３に記載のパイプ。
１２．層（ｄ）の前記熱可塑性ポリマーが、ポリアミド６，１０；ポリアミド６，１２；ポリアミド１１；およびポリアミド１２からなる群から選択されるポリアミドであることを特徴とする１１に記載のパイプ。
１３．層（ｃ）の前記強化用繊維が、パラアラミド繊維、炭素繊維、ポリエステル繊維、およびガラス繊維からなる群から選択される１種または複数種であることを特徴とする１に記載の多層パイプ。
１４．層（ｃ）の前記強化用繊維がパラアラミド繊維であることを特徴とする１３に記載の多層パイプ。
１５．層（ｃ）の前記強化用繊維がガラス繊維であることを特徴とする１３に記載の多層パイプ。
１６．層（ｂ）の流体透過度が層（ａ）の流体透過度以上であることを特徴とする１に記載のパイプ。
１７．層（ａ）の流体透過度が層（ａ’）の流体透過度以上であり、層（ｂ）の流体透過度が層（ａ）の流体透過度以上であることを特徴とする２に記載のパイプ。
１８．層（ｂ）の流体透過度が層（ａ）の流体透過度以上であり、層（ｄ）の流体透過度が層（ｂ）の流体透過度以上であることを特徴とする３に記載のパイプ。
１９．層（ａ）の流体透過度が層（ａ’）の流体透過度以上であり、層（ｂ）の流体透過度が層（ａ）の流体透過度以上であり、層（ｄ）の流体透過度が層（ｂ）の流体透過度以上であることを特徴とする４に記載のパイプ。
２０．地域暖房パイプ、化学プロセスパイプ、圧入井パイプ、またはガソリンスタンド給油場のパイプの形態であることを特徴とする１に記載のパイプ。
２１．海底のフレックスパイプまたは海洋アンビリカルの構成材の形態であることを特徴とする１に記載のパイプ。
【手続補正書】
【提出日】平成21年8月7日(2009.8.7)
【手続補正１】
【補正対象書類名】特許請求の範囲
【補正対象項目名】全文
【補正方法】変更
【補正の内容】
【特許請求の範囲】
【請求項１】
６０μｍ以下の範囲にある平均孔気泡径を有する多孔質高分子フォームを含む化学機械研磨用に適する表面織り目加工研磨パッドであって、該フォーム中の少なくとも７５％の孔が該平均孔気泡径から±３０μｍ内の孔気泡径を有し、該パッドは、２５μｍ〜１１５０μｍ範囲内の深さ、０．２５μｍ〜３８０μｍ範囲内の幅、および１〜１０００の深さ対幅アスペクト比を有する窪みを含む少なくとも一つの織り目加工表面を有し、該パッドの少なくとも一つの織り目加工表面は、表面積の平方センチメートル当り少なくとも１０個の窪みを含み、少なくとも５μｍの平均表面粗さを有する、表面織り目加工研磨パッド。
【請求項２】
多孔質高分子フォームが立方センチメートル当り少なくとも１０4気泡の孔気泡密度を有する請求項１に記載の研磨パッド。
【請求項３】
多孔質高分子フォームが少なくとも０．５ｇ／ｃｍ3の密度を有する請求項１に記載の研磨パッド。
【請求項４】
多孔質高分子フォーム中で気泡の大部分が独立気泡である請求項１に記載の研磨パッド。
【請求項５】
多孔質高分子フォームが熱可塑性ポリウレタンを含む請求項１に記載の研磨パッド。
【請求項６】
熱可塑性ポリウレタンが２０，０００ｇ／モル〜６００，０００ｇ／モルの質量平均分子量（Ｍｗ）を有する請求項５に記載の研磨パッド。
【請求項７】
熱可塑性ポリウレタンが２０以下のメルト・フロー・インデックス（ＭＦＩ）を有する請求項６に記載の研磨パッド。
【請求項８】
熱可塑性ポリウレタンが１．１〜６の多分散指数（ＰＤＩ）を有する請求項６に記載の研磨パッド。
【請求項９】
熱可塑性ポリウレタンが２〜１０のレオロジー・プロセシング・インデックス（ＲＰＩ）を有する請求項６に記載の研磨パッド。
【請求項１０】
多孔質高分子フォームが８％以下の平均圧縮率％を有する請求項５に記載の研磨パッド。
【請求項１１】
熱可塑性ポリウレタンフォームが少なくとも２０％の平均跳ね返り率％を有する請求項５に記載の研磨パッド。
【請求項１２】
少なくとも一つの織り目加工表面がショアＡ７５〜ショアＤ９０範囲にある硬度を有する請求項１に記載の研磨パッド。
【請求項１３】
少なくとも一つの織り目加工表面が、さらに、その上に刻まれる溝の織り目加工パターンを含む請求項１に記載の研磨パッド。
【請求項１４】
溝がそれぞれ２５μｍ〜５００μｍ範囲にある幅を有する請求項１３に記載の研磨パッド。
【請求項１５】
溝が２５μｍ〜５００μｍ範囲にある深さを有する請求項１３に記載の研磨パッド。
【請求項１６】
少なくとも一つの織り目加工表面がその上に刻まれる溝のメッシュパターンを含む請求項１に記載の研磨パッドであって、該メッシュパターンは、間隙を介した平行な溝の第１パターン、および間隙を介した平行な溝の第１パターンを横切る間隙を介した平行な溝の第２パターンを含む、研磨パッド。
【請求項１７】
溝がそれぞれ２５μｍ〜５００μｍ範囲にある幅を有する請求項１６に記載の研磨パッド。
【請求項１８】
間隙を介した平行な溝の第１および第２パターンの平行な溝が、２５０μｍ〜１０００μｍ範囲にある距離分相互に間隙を空ける請求項１６に記載の研磨パッド。
【請求項１９】
溝が２５μｍ〜５００μｍ範囲にある深さを有する請求項１６に記載の研磨パッド。
【請求項２０】
多孔質高分子フォームが１μｍ〜３０μｍ範囲にある平均孔径を有する請求項１に記載の研磨パッド。
【請求項２１】
（ａ）ガスを高い温度および圧力にさらすことにより超臨界ガスを発生させ、単相溶液を生成するために、ポリマー樹脂を該超臨界ガスと混合し、
（ｂ）単相溶液から高分子フォームのシートを押出成形し、
（ｃ）該シートを圧縮し、および
（ｄ）高分子フォームのそのように押出成形され圧縮されたシートから少なくとも一つの織り目加工表面を有する研磨パッドを形成すること、
を含む請求項１に記載の研磨パッドを製造するための方法。
【請求項２２】
ポリマー樹脂と混合される超臨界ガスの量が単相溶液の全体体積の０．０１％〜５％である請求項２１に記載の方法。
【請求項２３】
さらに、研磨パッドを形成する前に、圧縮され押出成形された高分子フォームシートの表面上に、溝の少なくとも一つの織り目加工パターンを刻む追加の段階を含む請求項２１に記載の方法。
【請求項２４】
溝がそれぞれ２５μｍ〜５００μｍ範囲にある幅を有する請求項２３に記載の方法。
【請求項２５】
溝が２５μｍ〜５００μｍ範囲にある深さを有する請求項２３に記載の方法。
【請求項２６】
さらに、その表面粗さを低減するためにパッドの少なくとも一つの織り目加工表面をバフ研磨する追加の段階を含む請求項２１に記載の方法。
【請求項２７】
（ａ）回転するプラテン、
（ｂ）請求項１に記載の研磨パッド、および
（ｃ）被加工物を回転研磨パッドと接触させることにより研磨しようとする被加工物を保持する担体、
を含む化学機械研磨装置。
【請求項２８】
さらに原位置終点検出システムを含む、請求項２７に記載の化学機械研磨装置。
【請求項２９】
（ａ）請求項１に記載の研磨パッドを提供し、
（ｂ）被加工物を回転研磨パッドと接触させ、および
（ｃ）被加工物に対して研磨パッドを動かせて被加工物を薄く削り、それによって被加工物を研磨すること、
を含む被加工物を研磨する方法。
【手続補正書】
【提出日】平成21年8月10日(2009.8.10)
【手続補正１】
【補正対象書類名】特許請求の範囲
【補正対象項目名】全文
【補正方法】変更
【補正の内容】
【特許請求の範囲】
【請求項１】
部分的に又は全体が構造化された金属シートを巻き付けてハニカム構造（２）にする装置（１）において、
少なくとも１つの金属シートのための受け部（５）を有する、前記装置（１）の中心領域（４）にある少なくとも１つの巻き取り心棒（３）と、
巻き付け中に少なくとも１つの金属シートを案内するための少なくとも１つの案内部材（７）、および少なくとも１つの旋回可能なクランプジョー（８）を有する、少なくとも１つの成形セグメント（６）とを含み、少なくとも１つの前記案内部材（７）は少なくとも１つのローラ体（９）を備える装置（１）。
【請求項２】
少なくとも１つの前記成形セグメント（６）は少なくとも１つの前記巻き取り心棒（３）に対して相対的に可動である、請求項１に記載の装置（１）。
【請求項３】
少なくとも１つの前記成形セグメント（６）は１つの案内部材（７）と１つのクランプジョー（８）を備えるように製作され、前記案内部材（７）と前記クランプジョー（８）は互いに接するように配置されている、請求項１または２に記載の装置（１）。
【請求項４】
少なくとも１つの前記成形セグメント（６）の少なくとも１つの前記クランプジョー（８）は、少なくとも１つの前記ローラ体（９）の回転軸（１１）と一致する旋回軸（１０）を有する、請求項１から３までのいずれか一項に記載の装置（１）。
【請求項５】
少なくとも１つの前記成形セグメント（６）の少なくとも１つの前記案内部材（７）は少なくとも１つの金属シートに対する当接面（１２）を形成し、前記当接面（１２）の少なくとも５０％は少なくとも１つの前記ローラ体（９）によって形成される、請求項１から４までのいずれか一項に記載の装置（１）。
【請求項６】
少なくとも１つの前記成形セグメント（６）の少なくとも１つの前記案内部材（７）は、少なくとも１つの前記ローラ体（９）が前記装置（１）の前記中心領域（４）に向かって突出するように構成されるように構成されている、請求項１から５までのいずれか一項に記載の装置（１）。
【請求項７】
部分的に又は全体が構造化された金属シートでハニカム体（１３）を製造する方法において、
ａ）少なくとも１つの平滑な金属シート（１４）と構造化された金属シート（１５）とを準備するステップと、
ｂ）請求項１から６までのいずれか一項に記載の装置を用いて前記金属シートを巻き付けてハニカム構造（２）にするステップと、
ｃ）前記ハニカム構造（２）をハウジング（１６）に嵌め込むステップと、
ｄ）前記金属シート（１４、１５）を前記ハウジング（１６）と結合するステップとを含む方法。
【請求項８】
前記ステップａ）は平滑な金属シート（１４）と波形の金属シート（１５）とを交互に積み重ねて積層体（１７）にすることを含む、請求項７に記載の方法。
【請求項９】
前記ステップｂ）は複数の積層体（１７）の同時の巻き付けを含み、各々の積層体（１７）に、巻き付け中に前記積層体（１７）と接触する巻き取り心棒（３）と成形セグメント（６）とが割り当てられる、請求項８に記載の方法。
【請求項１０】
請求項１から６までのいずれか一項に記載の装置（１）を用いて製造されたハニカム構造（２）において、第１の端面（１９）から第２の端面（２０）に向かって延びる多数の通路（１８）を有し、前記ハニカム構造（２）は１５０ｍｍよりも大きい長さ（２１）を有するハニカム構造（２）。
【請求項１１】
請求項７から９までのいずれか一項に記載の方法を用いて製造されたハニカム構造（２）において、前記ハニカム構造（２）は第１の端面（１９）から第２の端面（２０）に向かって延びる多数の通路（１８）を有し、前記ハニカム構造（２）は１５０ｍｍよりも大きい長さ（２１）を有するハニカム構造（２）。
【請求項１２】
請求項１から６までのいずれか一項に記載の装置（１）を用いて製造されたハニカム構造（２）、請求項７から９までのいずれか一項に記載の方法を用いて製造されたハニカム体（１３）、請求項１０に記載のハニカム構造（２）、または請求項１１に記載のハニカム体（１３）のいずれかを含む車両。
【手続補正書】
【提出日】平成21年5月29日(2009.5.29)
【手続補正１】
【補正対象書類名】特許請求の範囲
【補正対象項目名】全文
【補正方法】変更
【補正の内容】
【特許請求の範囲】
【請求項１】
混合すると水性酸化組成物を産生するように適合された第１部分及び第２部分を含む２部酸化システムであって、当該第１部分が亜塩素酸塩を含み、当該第２部分が重硫酸ナトリウム又はｉｎ  ｓｉｔｕで重硫酸イオンを提供する化学的部分を含む、上記酸化システム。
【請求項２】
前記化学的部分が、硫酸水素カリウム、硫酸水素セシウム、及び緩衝硫酸からなる群より選択される、請求項１に記載のシステム。
【請求項３】
前記亜塩素酸塩が、金属亜塩素酸塩である、請求項１に記載のシステム。
【請求項４】
肉製品における微生物群を低減するために当該肉製品を処理する方法であって、以下のステップ：
（ａ）混合すると水性殺菌組成物を産生するように適合された第１部分及び第２部分を含む２部殺菌システムであって、当該第１部分が亜塩素酸塩を含み、当該第２部分が重硫酸ナトリウム又はｉｎ  ｓｉｔｕで重硫酸イオンを提供する化学的部分を含む、上記殺菌システムを提供し；
（ｂ）水性殺菌組成物を形成するために前記第１部分と前記第２部分を混合し；そして
（ｃ）得られた水性殺菌組成物を前記肉製品に適用する、
ここで、前記殺菌組成物が前記微生物群を低減するのに十分な量及び十分な時間で適用される、
を含む上記方法。
【請求項５】
前記亜塩素酸塩が、前記第２部分と混合されたときに前記殺菌組成物中で約０．００１重量％〜約２．０重量％の濃度となるような量で、前記第１部分に存在する、請求項４に記載の方法。
【請求項６】
酸が、前記第１部分と混合されたときに前記殺菌組成物中で約０．００１重量％〜約２．０重量％の濃度となるような量で、前記第２部分に存在する、請求項４に記載の方法。
【手続補正書】
【提出日】平成21年8月7日(2009.8.7)
【手続補正１】
【補正対象書類名】特許請求の範囲
【補正対象項目名】全文
【補正方法】変更
【補正の内容】
【特許請求の範囲】
【請求項１】
スキップを支持する矩形の枠（３）を具備する廃棄物コンテナ用の可動式支持体（１）であって、前記枠（３）が、ベース（１５）と、移動手段とを備える、可動式支持体。
【請求項２】
前記移動手段が少なくとも１つの車輪（５、６、７、８）、あるいは少なくとも１つのローラを備える、請求項１に記載の可動式支持体。
【請求項３】
前記移動手段がキャタピラを備える、請求項１または２記載の可動式支持体１。
【請求項４】
前記枠の下面から前記移動手段（２０５、２０６、２０７、２０８）の下面よりも僅かに上方の位置まで延びている少なくとも１つの脚部（２３２）をさらに備える、請求項１〜３のいずれか一項に記載の可動式支持体。
【請求項５】
前記少なくとも１つの脚部（２３２）のうちの少なくとも１つが、調節可能な脚部を備える、請求項４に記載の可動式支持体。
【請求項６】
牽引バー（４）を備える、請求項１〜５のいずれか一項に記載の可動式支持体。
【請求項７】
前記枠（３３３）の長手方向の側部（３１９）が、長さ調節可能である、請求項１〜５のいずれか一項に記載の可動式支持体。
【請求項８】
前記枠（３３３）の横方向の側部（３２１、３２２）が、長さ調節可能である、請求項１〜７のいずれか一項に記載の可動式支持体。
【請求項９】
前記枠（３）がクロスバー（２４、２５）を備える、請求項１〜８のいずれか一項に記載の可動式支持体。
【請求項１０】
前記枠（３３３）が、取り外し可能なクロスバー（３３４、３３５）を備える、請求項１〜９のいずれか一項に記載の可動式支持体。
【請求項１１】
リフト手段に取り付け可能である少なくとも１つの突起（１３１）を備える、請求項１〜１０のいずれか一項に記載の可動式支持体。
【請求項１２】
磁性手段（４３８）を備える、請求項１〜１１のいずれか一項に記載の可動式支持体。
【請求項１３】
前記磁性手段（４３８）が、選択的に作動可能である電磁石を備える、請求項１２に記載の可動式支持体。
【請求項１４】
前記磁性手段（４３８）が、使用時に当該可動式支持体（４００）を前記廃棄物コンテナ（４０２）に固定するように配置されている、請求項１２又は１３に記載の可動式支持体。
【請求項１５】
前記移動手段（５０８）に連結された駆動手段（５４１）を備える、請求項１〜１４のいずれか一項に記載の可動式支持体。
【手続補正書】
【提出日】平成21年4月8日(2009.4.8)
【手続補正１】
【補正対象書類名】特許請求の範囲
【補正対象項目名】全文
【補正方法】変更
【補正の内容】
【特許請求の範囲】
【請求項１】
（i）ａ）８ＧＰａより大きい弾性率と１００ミクロン未満の最大断面寸法とを有する複数の溶融押出し半結晶性ポリオレフィンファイバー（ａ）と、
ｂ）ポリマー性接着剤と結合可能な表面の官能基又は表面構造と、を有する第１布地層と、
（ii）第２層と、
（iii）前記の層（i）と前記の層（ii）とを固定するポリマー性接着剤と、
を含む多層複合構造体。
【請求項２】
前記の層（i）が、織り合わされたパターンの中に、第２のファイバー（ｂ）と共にポリオレフィンファイバー（ａ）を含む織布であることを特徴とする請求項１に記載の多層複合構造体。
【請求項３】
前記の層（ii）が、ポリマーマトリクス中又は金属中に第３のファイバーを含むことを特徴とする請求項１に記載の多層複合構造体。
【請求項４】
前記接着剤（iii）が、前記ポリオレフィンファイバーより低融点の熱可塑性材料、及び熱硬化性樹脂から選択されることを特徴とする請求項１に記載の多層複合構造体。
【請求項５】
前記ファイバー（ａ）が、ポリプロピレンであることを特徴とする請求項１に記載の多層複合構造体。
【請求項６】
前記ファイバー（ａ）が、溶融押出しポリオレフィンフィルムに付着している半分分離されたマクロファイバー又はミクロファイバーを含むことを特徴とする請求項１に記載の多層複合構造体。
【請求項７】
前記複合構造体が、１．５ｇ／ｃｍ３未満の密度と８０ＭＰａより大きい曲げ強度を有することを特徴とする請求項１に記載の多層複合構造体。
【請求項８】
前記複合構造体が、１．２ｇ／ｃｍ３未満の密度と３ＧＰａより大きい曲げ弾性率を有することを特徴とする請求項１に記載の多層複合構造体。
【請求項９】
前記複合構造体が、３．５未満の誘電率を有することを特徴とする請求項１に記載の多層複合構造体。
【請求項１０】
（i）ａ）１０ＧＰａより大きい弾性率と１００ミクロン未満の最大断面寸法とを有する複数の溶融押出し半結晶性ポリオレフィンファイバー（ａ１）を有する第１布地層と、
（ii）第２層と、
（iii）前記の層（i）と前記の層（ii）とを固定するポリマー性接着剤と、
を含む多層複合構造体。
【請求項１１】
前記第２層が、前記第１層の全体にわたって不連続であることを特徴とする請求項１０に記載の多層複合構造体。
【請求項１２】
前記第２層が、ポリマーマトリクス中に第３のファイバーを含む不織布であることを特徴とする請求項１０に記載の多層複合構造体。
【請求項１３】
前記複合構造体が、１．５ｇ／ｃｍ３未満の平均密度、１００ＭＰａより大きい曲げ強度、及び１０ＧＰａより大きい曲げ弾性率を有することを特徴とする請求項１０に記載の多層複合構造体。
【請求項１４】
前記複合構造体が、３．０未満の誘電率を有することを特徴とする請求項１０に記載の多層複合構造体。
【請求項１５】
回路基板、レドーム、保護用収容体、及び車両部品から選択された物品を製造するための請求項１乃至１４のいずれか１項に記載の多層複合構造体の使用。
【請求項１６】
１．５ｇ／ｃｍ３未満の平均密度を有するラミネート構造体であって、
（ａ）２０ＧＰａより大きい弾性率と１００ミクロン未満の最大断面寸法とを有するファイバーを含む第１及び第２の外側層と、
（ｂ）複数の内側層であって、少なくとも１つ以上の内側層が、少なくとも８ＧＰａの弾性率、４００ＭＰａより大きい引っ張り強さ、及び約１．３ｇ／ｃｍ３未満の密度を有する複数の溶融押出しファイバーを含む織布である前記複数の内側層と、
（ｃ）前記ラミネート構造体の少なくとも２つの層を互いに接着する接着剤と、
を含むことを特徴とするラミネート構造体。
【請求項１７】
前記外側層が、ファイバーガラスの布地であることを特徴とする請求項１６に記載のラミネート構造体。
【請求項１８】
前記ラミネート構造体が、回路基板、レドーム又は車両部品であることを特徴とする請求項１６に記載のラミネート構造体。
【手続補正書】
【提出日】平成21年8月6日(2009.8.6)
【手続補正１】
【補正対象書類名】特許請求の範囲
【補正対象項目名】全文
【補正方法】変更
【補正の内容】
【特許請求の範囲】
【請求項１】
連続フィラメント糸を含み、そして平方メートル当たり約４．４キログラム未満の面密度を有する複数の繊維層を含んでなる可撓性の耐貫通性物品であって、複数の繊維層の少なくとも１つがデシテックス当たり少なくとも約３０グラムの靱性を有する繊維と約１１００デシテックス未満の線密度を有する連続フィラメント糸とを含んでなる物品。
【請求項２】
連続フィラメント糸を含み、そして平方メートル当たり約４．４キログラム未満の面密度を有する複数の繊維層を含んでなる可撓性の耐貫通性物品であって、複数の繊維層が合計して、試験手順ＭＩＬ−ＳＴＤ−６６２Ｅに従って１６グレイン破片に対して少なくとも約６１０メートル毎秒のＶ５０値および９ミリメートル拳銃弾に対して少なくとも約４８０メートル毎秒のＶ５０値を有する物品。
【請求項３】
連続フィラメント糸を含み、そして平方メートル当たり約４．４キログラム未満の面密度を有する複数の繊維層を含んでなる可撓性の耐貫通性物品であって、複数の繊維層が少なくとも１つのアラミド繊維層とデシテックス当たり少なくとも約３０グラムの靱性を有する少なくとも１つの非アラミド繊維層と約１１００デシテックス未満の線密度を有する連続フィラメント糸とを含んでなる物品。
【請求項４】
連続フィラメント糸を含み、そして平方メートル当たり約４．４キログラム未満の面密度を有する複数の繊維層を提供する工程を含んでなる可撓性の耐貫通性物品の製造方法であって、複数の繊維層の少なくとも１つがデシテックス当たり少なくとも約３０グラムの靱性を有する繊維と約１１００デシテックス未満の線密度を有する連続フィラメント糸とを含んでなる方法。
【手続補正２】
【補正対象書類名】明細書
【補正対象項目名】００７０
【補正方法】変更
【補正の内容】
【００７０】
本明細書に開示されるすべての特許および刊行物は、全体が参照により援用される。
次に、本発明の好ましい態様を示す。
１．  連続フィラメント糸を含み、そして平方メートル当たり約４．４キログラム未満の面密度を有する複数の繊維層を含んでなる可撓性の耐貫通性物品であって、複数の繊維層の少なくとも１つがデシテックス当たり少なくとも約３０グラムの靱性を有する繊維と約１１００デシテックス未満の線密度を有する連続フィラメント糸とを含んでなる物品。
２．  試験手順ＭＩＬ−ＳＴＤ−６６２Ｅに従って１６グレイン破片に対して少なくとも約６１０メートル毎秒のＶ５０値および９ミリメートル拳銃弾に対して少なくとも約４８０メートル毎秒のＶ５０値を有する上記１に記載の物品。
３．  複数の繊維層が４５層もしくはそれ未満を含む上記１に記載の物品。
４．  複数の繊維層の少なくとも１つがデシテックス当たり少なくとも約４０グラムの靱性を有するポリマー繊維を含んでなる上記１に記載の物品。
５．  連続フィラメント糸がポリアミド繊維、ポリオレフィン繊維、ポリベンゾオキサゾール繊維、ポリベンゾチアゾール繊維、ポリアレーンアゾール繊維、ポリピリダゾール繊維、ポリピリドビスイミダゾール繊維、およびそれらの混合物を含んでなる群から選択される上記１に記載の物品。
６．  複数の繊維層がポリベンゾオキサゾール繊維またはポリベンゾチアゾール繊維から本質的になる上記１に記載の物品。
７．  複数の繊維層がポリベンゾオキサゾール繊維またはポリベンゾチアゾール繊維から製造された多層とアラミド繊維から製造された多層とを含む上記１に記載の物品。
８．  複数の繊維層がポリベンゾオキサゾール繊維またはポリベンゾチアゾール繊維から製造された多層とポリアレーンアゾール繊維、ポリピリダゾール繊維、またはポリピリドビスイミダゾール繊維から製造された多層とを含む上記１に記載の物品。
９．  複数の繊維層がポリアレーンアゾール繊維、ポリピリダゾール繊維、またはポリピリドビスイミダゾール繊維から本質的になる上記１に記載の物品。
１０．  複数の繊維層の少なくとも一部が織られていない上記１に記載の物品。
１１．  複数の繊維層が全く織られていない上記１に記載の物品。
１２．  複数の繊維層の少なくとも１つが織られており、そして約０．２〜約０．９５のち密度因子を有する上記１に記載の物品。
１３．  複数の繊維層の少なくとも１つが熱可塑性樹脂、熱硬化性樹脂、またはそれらの混合物を含んでなるポリマーマトリックスを含浸されている上記１に記載の物品。
１４．  連続フィラメント糸を含み、そして平方メートル当たり約４．４キログラム未満の面密度を有する複数の繊維層を含んでなる可撓性の耐貫通性物品であって、複数の繊維層が合計して、試験手順ＭＩＬ−ＳＴＤ−６６２Ｅに従って１６グレイン破片に対して少なくとも約６１０メートル毎秒のＶ５０値および９ミリメートル拳銃弾に対して少なくとも約４８０メートル毎秒のＶ５０値を有する物品。
１５．  連続フィラメント糸が約１００デシテックス〜約１，１００デシテックスの線密度を有し、
複数の繊維層の少なくとも１つがデシテックス当たり少なくとも約３０グラムの靱性を有する繊維を含み、そして
連続フィラメント糸がポリアミド繊維、ポリオレフィン繊維、ポリベンゾオキサゾール繊維、ポリベンゾチアゾール繊維、ポリアレーンアゾール繊維、ポリピリダゾール繊維、ポリピリドビスイミダゾール繊維、およびそれらの混合物を含んでなる群から選択される上記１４に記載の物品。
１６．  連続フィラメント糸を含み、そして平方メートル当たり約４．４キログラム未満の面密度を有する複数の繊維層を含んでなる可撓性の耐貫通性物品であって、複数の繊維層が少なくとも１つのアラミド繊維層とデシテックス当たり少なくとも約３０グラムの靱性を有する少なくとも１つの非アラミド繊維層と約１１００デシテックス未満の線密度を有する連続フィラメント糸とを含んでなる物品。
１７．  試験手順ＭＩＬ−ＳＴＤ−６６２Ｅに従って１６グレイン破片に対して少なくとも約６１０メートル毎秒のＶ５０値および９ミリメートル拳銃弾に対して少なくとも約４８０メートル毎秒のＶ５０値を有する上記１６に記載の物品。
１８．  複数の繊維層の少なくとも１つがデシテックス当たり少なくとも約４０グラムの靱性を有するポリマー繊維を含んでなる上記１６に記載の物品。
１９．  複数の繊維層の少なくとも１つがデシテックス当たり少なくとも約３５グラムの靱性を有し、かつ、立方センチメートル当たり少なくとも１．６グラムの繊維密度を有するポリマー繊維を含んでなる上記１６に記載の物品。
２０．  連続フィラメント糸を含み、そして平方メートル当たり約４．４キログラム未満の面密度を有する複数の繊維層を提供する工程を含んでなる可撓性の耐貫通性物品の製造方法であって、複数の繊維層の少なくとも１つがデシテックス当たり少なくとも約３０グラムの靱性を有する繊維と約１１００デシテックス未満の線密度を有する連続フィラメント糸とを含んでなる方法。